(57)【特許請求の範囲】
【請求項１】
複数の縮小画像を表示手段に一覧表示する画像表示方法であって、
記録媒体に記録された一連の画像に対して縮小処理手段により縮小処理を施して各々縮小画像を生成し、
縮小前の各画像が、元画像を表示することにより確認可能になる特殊画像である可能性を、予め定められた基準に基づいて判定手段により判定し、
該一連の画像に基づく縮小画像を表示手段に一覧表示すると共に、前記判定された結果を、一覧表示中の該当縮小画像に付随して前記表示手段に表示するよう表示制御手段により制御する、
ことを特徴とする画像表示方法。
【請求項２】
特殊画像である可能性を有するかの判定結果を表示する際に、可能性の高さに応じた表示を前記表示手段に行うよう前記表示制御手段により制御することを特徴とする請求項１記載の画像表示方法。
【請求項３】
前記判定手段における判定対象となる前記特殊画像は、ピンぼけ画像またはぶれ画像であることを特徴とする請求項１記載の画像表示方法。
【請求項４】
前記特殊画像の可能性について、縮小前の画像の中央付近の所定の領域の周波数特性を計算し、その周波数特性の中高周波成分量に基づいて前記判定手段が判定することを特徴とする請求項３記載の画像表示方法。
【請求項５】
前記判定手段における判定対象となる前記特殊画像は、画像出力手段の色域を超えた画像であることを特徴とする請求項１記載の画像表示方法。
【請求項６】
前記判定手段における判定対象となる前記特殊画像は、予め指定された範囲の色を含む画像であることを特徴とする請求項１記載の画像表示方法。
【請求項７】
前記判定手段における判定対象となる前記特殊画像は、予め指定された色を、一定面積以上含む画像であることを特徴とする請求項１記載の画像表示方法。
【請求項８】
前記特殊画像の可能性の判定を、画像ファイリングの一部の処理として前記判定手段が行うことを特徴とする請求項１記載の画像表示方法。
【請求項９】
記録媒体に記録された一連の画像について、前記判定された結果を該当する画像に付随して情報タグもしくは情報ファイルとして前記表示制御手段が記録媒体に格納することを特徴とする請求項１記載の画像表示方法。
【請求項１０】
複数の縮小画像を表示手段に一覧表示する機能を備えた画像表示装置であって、
記録媒体に記録された一連の画像に対して縮小処理を施して各々縮小画像を生成する縮小処理手段と、
縮小前の各画像が、元画像を表示することにより確認可能になる特殊画像である可能性を、予め定められた基準に基づいて判定する判定手段と、
前記縮小画像を前記表示手段に一覧表示すると共に前記判定された結果を該当する縮小画像に付随して表示する表示制御手段と、
を備えたことを特徴とする画像表示装置。
【請求項１１】
前記判定手段における特殊画像である可能性を有するかの判定結果を表示手段に表示する際に、前記表示制御手段は、可能性の高さに応じた表示を行うことを特徴とする請求項１０記載の画像表示装置。
【請求項１２】
前記判定手段における判定対象となる前記特殊画像は、ピンぼけ画像またはぶれ画像であることを特徴とする請求項１０記載の画像表示装置。
【請求項１３】
前記判定手段は、前記特殊画像の可能性について、縮小前の画像の中央付近の所定の領域の周波数特性を計算し、その周波数特性の中高周波成分量から判定することを特徴とする請求項１２記載の画像表示装置。
【請求項１４】
前記判定手段における判定対象となる前記特殊画像は、画像出力手段の色域を超えた画像であることを特徴とする請求項１０記載の画像表示装置。
【請求項１５】
前記判定手段における判定対象となる前記特殊画像は、予め指定された範囲の色を含む画像であることを特徴とする請求項１０記載の画像表示装置。
【請求項１６】
前記判定手段における判定対象となる前記特殊画像は、予め指定された色を、一定面積以上含む画像であることを特徴とする請求項１０記載の画像表示装置。
【請求項１７】
前記判定手段での前記特殊画像の可能性の判定を、画像ファイリングの一部の処理として行うことを特徴とする請求項１０記載の画像表示装置。
【請求項１８】
前記判定手段は記録媒体に記録された一連の画像について判定を行い、前記表示制御手段は前記判定された結果を該当する画像に付随して情報タグもしくは情報ファイルとして記録媒体に格納することを特徴とする請求項１０記載の画像表示装置。
【発明の詳細な説明】
【０００１】
【発明の属する技術分野】
本発明は、縮小画像を一覧表示する画像表示方法及び画像表示装置に関し、特に、縮小画像を一覧表示する際に特殊画像であるか否かについて表示可能にする改良に関する。
【０００２】
【従来の技術】
多数の画像を保管する画像ファイリング装置では、保管対象となる画像について、元画像を縮小して一覧表示する機能を備えているものが多い。
【０００３】
この画像ファイリング装置として、ピクチャーＭＤ装置やフォトＣＤ装置などがある。そして、ピクチャーＭＤ装置では、元画像を８０×６０画素に縮小し、この縮小画像を一覧表示している。また、フォトＣＤ装置では、元画像を１９２×１２８画素に縮小し、この縮小画像を一覧表示している。
【０００４】
また、一般のコンピュータ装置では、３２×３２画素程度のアイコンやサムネイル画像として表示するものもある。
【０００５】
【発明が解決しようとする課題】
上述したいずれの縮小画像表示方法においても、元画像が縮小されているため、元画像にピンぼけやぶれが含まれているか否かについては、一覧表示された縮小画像からは分からない状態であった。すなわち、元画像を表示しない限り、そのようなピンぼけやぶれについては分からない状態であった。
【０００６】
また、画像が縮小されると一般に彩度が低下して見える。このため、彩度が高く、プリンタの色域を超えている場合であっても、縮小画像からは認識することができない。すなわち、元画像を表示しない限り、そのような色域については分からない状態であった。
【０００７】
このため、縮小画像から元画像を読み出す操作、元画像を読み出して（転送して）表示する時間がかかり、操作性を悪化させていた。
従って、本発明の目的は、縮小画像の一覧表示において、元画像を表示しなければ判定できないような特殊な画像について、元画像を表示することなく一覧表示において示すことが可能な画像表示方法及び画像表示装置を提供することである。
【０００８】
【課題を解決するための手段】
すなわち、課題を解決する手段を構成する本発明は以下の（１）〜（２）に説明するようなものである。
【０００９】
（１）請求項１記載の発明は、複数の縮小画像を表示手段に一覧表示する画像表示方法であって、記録媒体に記録された一連の画像に対して縮小処理を施して各々縮小画像を生成し、縮小前の各画像が、元画像を表示することにより確認可能になる特殊画像である可能性を、予め定められた基準に基づいて判定手段により判定し、該一連の画像に基づく縮小画像を表示手段に一覧表示すると共に、前記判定された結果を、一覧表示中の該当縮小画像に付随して前記表示手段に表示するよう表示制御手段により制御する、ことを特徴とする画像表示方法である。
【００１０】
請求項１０記載の発明は、複数の縮小画像を表示手段に一覧表示する機能を備えた画像表示装置であって、記録媒体に記録された一連の画像に対して縮小処理を施して各々縮小画像を生成する縮小処理手段と、縮小前の各画像が、元画像を表示することにより確認可能になる特殊画像である可能性を、予め定められた基準に基づいて判定する判定手段と、前記縮小画像を前記表示手段に一覧表示すると共に前記判定された結果を該当する縮小画像に付随して表示する表示制御手段と、を備えたことを特徴とする画像表示装置である。
【００１１】
この第１の発明では、予め定められた基準に基づいて縮小前の各画像が特殊画像である可能性を有するか否かを判定しておいて、この判定された結果を該当する画像に付随して表示することで、元画像を表示しなければ判定できないような特殊な画像について、元画像を表示することなく一覧表示において示すことが可能になる。
【００１２】
（２）請求項２記載の発明は、（１）の画像表示方法において、特殊画像である可能性を有するかの判定結果を表示する際に、可能性の高さに応じた表示を前記表示手段に行うよう前記表示制御手段により制御することを特徴とする。
【００１３】
請求項１１記載の発明は、（１）の画像表示装置において、前記判定手段における特殊画像である可能性を有するかの判定結果を表示手段に表示する際に、前記表示制御手段は、可能性の高さに応じた表示を行うことを特徴とする。
【００１４】
この第２の発明では、予め定められた基準に基づいて縮小前の各画像が特殊画像である可能性を有するか否かを判定しておいて、この判定された結果を、その可能性の高さと共に該当する画像に付随して表示することで、元画像を表示しなければ判定できないような特殊な画像について、元画像を表示することなく一覧表示において示すことが可能になる。
【００１５】
（３）請求項３記載の発明は、（１）の画像表示方法において、前記判定手段における判定対象となる前記特殊画像は、ピンぼけ画像またはぶれ画像であることを特徴とする。
請求項１２記載の発明は、（１）の画像表示装置において、前記判定手段における判定対象となる前記特殊画像は、ピンぼけ画像またはぶれ画像であることを特徴とする。
【００１６】
この第３の発明では、予め定められた基準に基づいて縮小前の各画像が特殊画像である可能性を有するか否かを判定しておいて、この判定された結果を該当する画像に付随して表示することで、元画像を表示しなければ判定できないようなピンぼけ画像やぶれ画像について、元画像を表示することなく一覧表示において示すことが可能になる。
【００１７】
（４）請求項４記載の発明は、（３）の画像表示方法において、前記特殊画像の可能性について、縮小前の画像の中央付近の所定の領域の周波数特性を計算し、その周波数特性の中高周波成分量に基づいて前記判定手段が判定することを特徴とする。
【００１８】
請求項１３記載の発明は、（３）の画像表示装置において、前記判定手段は、前記特殊画像の可能性について、縮小前の画像の中央付近の所定の領域の周波数特性を計算し、その周波数特性の中高周波成分量から判定することを特徴とする。
【００１９】
この第４の発明では、縮小前の画像の中央付近の所定の領域の周波数特性の中高周波成分量に基づいて縮小前の各画像が特殊画像である可能性を有するか否かを判定しておいて、この判定された結果を該当する画像に付随して表示することで、元画像を表示しなければ判定できないようなピンぼけ画像やぶれ画像について、元画像を表示することなく一覧表示において示すことが可能になる。
【００２０】
（５）請求項５記載の発明は、（１）の画像表示方法において、前記判定手段における判定対象となる前記特殊画像は、画像出力手段の色域を超えた画像であることを特徴とする。請求項１４記載の発明は、（１）の画像表示装置において、前記判定手段における判定対象となる前記特殊画像は、画像出力手段の色域を超えた画像であることを特徴とする。
【００２１】
この第５の発明では、色域に関して予め定められた基準に基づいて縮小前の各画像が特殊画像である可能性を有するか否かを判定しておいて、この判定された結果を該当する画像に付随して表示することで、元画像を表示しなければ判定できないような画像出力手段の色域を超えた画像について、元画像を表示することなく一覧表示において示すことが可能になる。
【００２２】
（６）請求項６記載の発明は、（１）の画像表示方法において、前記判定手段における判定対象となる前記特殊画像は、予め指定された範囲の色を含む画像であることを特徴とする。請求項１５記載の発明は、（１）の画像表示装置において、前記判定手段における判定対象となる前記特殊画像は、予め指定された範囲の色を含む画像であることを特徴とする。
【００２３】
この第６の発明では、色に関して予め定められた基準に基づいて縮小前の各画像が特殊画像である可能性を有するか否かを判定しておいて、この判定された結果を該当する画像に付随して表示することで、元画像を表示しなければ判定できないような指定された範囲の色を含む画像について、元画像を表示することなく一覧表示において示すことが可能になる。
【００２４】
（７）請求項７記載の発明は、（１）の画像表示方法において、前記判定手段における判定対象となる前記特殊画像は、予め指定された色を、一定面積以上含む画像であることを特徴とする。請求項１６記載の発明は、前記判定手段における判定対象となる前記特殊画像は、予め指定された色を、一定面積以上含む画像であることを特徴とする。
【００２５】
この第７の発明では、色と面積に関して予め定められた基準に基づいて縮小前の各画像が特殊画像である可能性を有するか否かを判定しておいて、この判定された結果を該当する画像に付随して表示することで、元画像を表示しなければ判定できないような指定された範囲の色を一定面積以上を含む画像について、元画像を表示することなく一覧表示において示すことが可能になる。
【００２６】
（８）請求項８記載の発明は、（１）の画像表示方法において、前記特殊画像の可能性の判定を、画像ファイリングの一部の処理として前記判定手段が行うことを特徴とする。
【００２７】
請求項１７記載の発明は、（１）の画像表示装置において、前記判定手段での前記特殊画像の可能性の判定を、画像ファイリングの一部の処理として行うことを特徴とする。
【００２８】
この第８の発明では、予め定められた基準に基づいて縮小前の各画像が特殊画像である可能性を有するか否かを判定しておいて、この判定された結果を該当する画像に付随して表示することで、画像ファイリング装置において、元画像を表示しなければ判定できないような特殊な画像について、元画像を表示することなく一覧表示において示すことが可能になる。
【００２９】
（９）請求項９記載の発明は、（１）の画像表示方法において、記録媒体に記録された一連の画像について、前記判定された結果を該当する画像に付随して情報タグもしくは情報ファイルとして前記表示制御手段が記録媒体に格納することを特徴とする。
【００３０】
請求項１８記載の発明は、（１）の画像表示装置において、前記判定手段は記録媒体に記録された一連の画像について判定を行い、前記表示制御手段は前記判定された結果を該当する画像に付随して情報タグもしくは情報ファイルとして記録媒体に格納することを特徴とする。
【００３１】
この第９の発明では、予め定められた基準に基づいて縮小前の各画像が特殊画像である可能性を有するか否かを判定しておいて、この判定された結果を該当する画像に付随して情報タグもしくは情報ファイルとして記録媒体に格納することで、元画像を表示しなければ判定できないような特殊な画像について、元画像を表示することなく、記録媒体に含まれる一連の画像についての一覧表示において示すことが可能になる。
【００３２】
（１０）なお、以上の（１）〜（９）の各発明において、表示手段に一覧表示するとはディスプレイでの画像表示のほか、インデックスプリントやラッシュプリント等の一覧表示状態のプリント出力などを意味する。また、元画像の表示とは、ディスプレイでの元画像の表示のほか、個々の画像を一枚ごとにプリントすること等を意味する。
【００３３】
【発明の実施の形態】
以下、本発明の実施の形態例を図面を用いて説明する。図１は本発明の一実施の形態例の画像表示方法を実施する装置、また、本発明の一実施の形態例の画像表示装置についての電気的構成を示す構成図である。
【００３４】
まず、この図１を用いて画像表示装置の電気的構成を説明する。尚、この画像表示装置は、保管対象となる画像について元画像を縮小して一覧表示する機能を備えた画像ファイリング装置に適用することができ、ここでは、ピクチャーＭＤ装置１００に適用した例を示す。なお、フォトＣＤ装置の場合には、以下に説明するＭＤドライブを記録可能なＣＤドライブに置き換えればよい。
【００３５】
この図１において、１１０は装置全体の制御を行うメインマイコン、１２０はメインマイコン１１０に対して使用者からの操作コマンドを入力する操作部、１３０は各種パラメータを保持するパラメータ保持部である。なお、パラメータ保持部１３０は、操作部１２０から入力された縮小画像表示の際の判定基準などについても保持する。
【００３６】
１４０はメインマイコン１１０の制御のもとでＭＤドライブ１４１を制御するＭＤドライブコントローラ、１４１はＭＤドライブコントローラ１４０により制御・駆動されるＭＤドライブであり、記録媒体であるＭＤ（ミニディスク）２００に対して画像データの記録と読み出しとを行う。
【００３７】
１５０は画像データを一時的に格納するフレームメモリ、１６０はフレームメモリ１５０への画像データの書き込みと読み出しとの制御を行うメモリコントローラである。
【００３８】
１７０は各種画像処理を行う画像処理部であり、縮小画像を生成する縮小画像処理部１７１と、特殊画像の判定を行う判定処理部１７２と、判定結果を画像に付随して一覧表示する制御を行う表示制御部１７３と、を備えている。
【００３９】
３００はフィルム等から画像データをディジタル化して読み込む画像入力手段としてのスキャナである。なお、このスキャナ３００はピクチャーＭＤ装置１００に内蔵されている場合と、外付けになっている場合とがある。
【００４０】
４００は表示制御部１７３からの信号を受けて縮小画像の一覧表示を行うディスプレイであり、ピクチャーＭＤ装置１００に内蔵されている場合と、外付けになっている場合とがある。
【００４１】
以上のような構成の装置において、ＭＤ２００に記録された複数の画像データに関して、ディスプレイ４００に一覧表示をする場合について図２以降を参照して説明する。なお、以下の説明では、縮小処理された縮小画像に対して、縮小前の画像を元画像と呼ぶことにする。
【００４２】
まず、スキャナ３００によってフィルムをスキャンし（図２Ｓ１）、１５３６×１０２４画素等のディジタル化した画像データを得て、この画像データをフレームメモリ１５０に展開する。あるいは、ＭＤ２００に格納されている画像データを読み込んで、フレームメモリ１５０に展開する（図２Ｓ１）。
【００４３】
そして、フレームメモリ１５０に展開された画像データをメモリコントローラ１６０が画像処理部１７０に供給する。ここで、縮小処理部１７１は所定の画像縮小アルゴリズムに従って、８０×６０画素程度の縮小画像を生成する。
【００４４】
また、判定処理部１７２は、操作部１２０からの入力され、パラメータ保持部１３０に保持されている予め定められた基準に基づいて、画像が特殊画像である可能性を有するか否かを判定する（図２Ｓ２）。
【００４５】
ここで、特殊画像とは、通常以外の状態であって、縮小画像の表示からは確認困難な画像を意味しており、たとえば、ピンぼけ（非合焦）画像，ぶれ画像，プリンタの色域を超えた画像，予め指定された色を含む画像，などが該当する。
【００４６】
まず、特殊画像がピンぼけ画像である場合について説明する。ピンぼけ画像とは、画像に含まれる主たる被写体に焦点が合っていないことを意味している。また、主たる被写体はほとんどの場合、画像エリアの中心付近に位置している。このため、図３に示すように、縦横方向それぞれの中心付近のエリア（図３ハッチング部分）について、焦点が合っているか否かを調査して判定を行う。１５３６×１０２４画素の画像であれば、中央の５１２×５１２画素を抽出して処理を行う。このようにすることで、計算量を減らし、処理を高速化することができる。
【００４７】
焦点が合っていれば画像信号に一定量以上の高周波成分が含まれており、焦点が合っていなければ高周波成分が少なくなることが知られている。そこで、判定処理部１７２が、図４に示すように、前記エリアの画像信号についてＦＦＴ処理を行って、そのヒストグラムをとる。なお、２次元のＦＦＴ処理を行う必要はなく、縦・横に対してそれぞれ１次元のフーリエ変換を行うことで処理を迅速に行える。
【００４８】
この図４に示す例では、注目周波数ｆaにおいて、しきい値ｔh以上の周波数成分を含んでいるａの特性は合焦、しきい値ｔh以上の周波数成分を含んでいないｂの特性は非合焦であると判定する。すなわち、ｂの特性の場合は特殊画像である可能性がある画像であると判定する。
【００４９】
なお、このような処理は、高周波成分のみでなく、中〜高周波成分について行うことが好ましい。高周波成分のみであると、ノイズの影響を受け易くなる不具合がある。
【００５０】
なお、元画像が既にＪＰＥＧ圧縮などの直交変換（周波数変換）により既に圧縮されている場合には、完全に解凍することなく、逆直交変換を行う前のデータにより判断することが可能である。このときのデータは、周波数空間での画像のパワースペクトラムをほぼ示しているため、このときの中〜高周波成分を用いることで、特殊画像である可能性について判断が可能になる。
【００５１】
ここで、［データの種類］→（処理），として手順を示せば、以下のようになる。なお、比較のため、完全に解凍してから判断する場合も示す。
・完全に解凍せずに、逆直交変換を行う前のデータで判断する場合：
［ＪＰＥＧ圧縮画像］→（逆符号化）→［量子化した周波数画像］→（逆量子化）→［周波数画像］→（ボケ・ブレ判断）
・完全に解凍した後のデータで判断する場合：
［ＪＰＥＧ圧縮画像］→（逆符号化）→［量子化した周波数画像］→（逆量子化）→［周波数画像］→（逆直交変換）→［元画像］，
［元画像］→（ＦＦＴなどの周波数変換）→［周波数画像］→（ボケ判断）
これにより、完全に解凍して判断する場合と比較して、「逆直交変換」と「ＦＦＴなどの周波数変換」の計算を省略することができ、より高速に判断が行えるようになる。
【００５２】
また、ボケ量の方向性を抽出することで、ぶれ画像の有無を判定することができる。すなわち、２次元での空間周波数成分の計算を行って、ボケ量の分布が対象でない場合には、ぶれ画像であると判定することができる。
【００５３】
なお、以上の場合に、画像の持つノイズ成分を画像成分と誤認識することがあるため、フィルムからディジタイズした画像の場合には、露光量データやフィルム種類に応じてしきい値を変化させることが望ましい。すなわち、高感度フィルムや露出不足気味の撮影コマではノイズが目立つため、それを画像と判断させないような処理を行う。また、同様な理由により、画像がディジタルカメラで撮像されたものである場合には、露光量に応じてしきい値を変化させることが望ましい。以上の、ピンぼけ画像やぶれ画像を判定する際のしきい値については、操作部１２０から使用者が設定可能であると、適切な判定が行えて望ましい。
【００５４】
また、特殊画像がプリンタの色域を超えた画像である場合について説明する。図５にプリンタが再現可能な色域と元画像の色域とを色空間上で模式的に示す。ここでは、元画像の色域の一部分がプリンタの色域から逸脱した状態になっている。そこで、判定処理部１７２が、色空間上における色域の調査を行い、図５のような場合には、プリンタの色域から逸脱している元画像の画素が存在するため特殊画像である可能性がある画像であると判定する。
【００５５】
また、特殊画像が、予め指定された色（注目色）を含む画像である場合について説明する。図６に元画像の色域と注目色の色域とを色空間上で模式的に示す。ここでは、元画像の色域の一部分として、注目色の色域を含んだ状態になっている。そこで、判定処理部１７２が、色空間上における色域の調査を行い、図６のような場合には、特殊画像である可能性がある画像であると判定する。
【００５６】
なお、この注目色については、操作部１２０からの指定に基づくものであり、一定の色相角度範囲のもの（たとえば、肌色，青空の色，木の緑など）、色相角度範囲及び明度範囲のように設定を行う。
【００５７】
なお、このような注目色について、一定の画素数以上存在しているかについて調査を行うようにしてもよい。この場合、元画像を平均化（または、および、縮小）し、注目色の画素割合を調査する。
【００５８】
以上のような判定に基づいて特殊画像の可能性が有るか否かの判定結果が判定処理部１７２から出力され、メインマイコン１１０は判定結果を元画像データの情報タグまたは情報ファイルとして付加する（図２Ｓ３）。
【００５９】
そして、このように判定結果が付加された元画像データを、メインマイコン１１０がＭＤドライブコントローラ１４０を介してＭＤドライブ１４１からＭＤ２００に格納する（図２Ｓ４）。
【００６０】
または、表示制御部１７３が、縮小処理部１７１で生成された縮小画像に前記判定結果を対応させて、ディスプレイ４００に一覧表示を行うようにする（図２Ｓ４）。
【００６１】
以上のステップ１〜ステップ４の動作を、フィルム１本に記録された一連の全ての画像について行うようにする（図２Ｓ５）。
図７はフィルム１本に記録された一連の画像について、判定と縮小画像生成とを行って一覧表示した様子を示している。ここでは、合計で２４枚の縮小画像について、特殊画像の可能性（ａ，ｂ，ｃ）と共に示している。
【００６２】
ここに示す例では、ピンぼけ画像やぶれ画像などの特殊画像の種類毎に異なる記号（×や☆）を用い、かつ、その程度に応じて記号の大きさを変えるようにしている。すなわち、周波数特性から判定したぼけの程度や、範囲を超えた色域の範囲などから、特殊画像の程度を決定している。
【００６３】
なお、特殊画像の表示の仕方はこれに限られるものではなく、このような記号の他に、数字、色、文字、縮小画像周囲の枠、などを用いたり、また、縮小画像に含まれる特殊画像と推測される部分を点滅させたり、輝度や色を変えて表示すること、特殊画像が何コマ目に存在するかのメッセージ表示、なども考えられる。
【００６４】
また、フィルムやＭＤに含まれる一連の画像について一覧表示を行うため、図７ｄ部分に示すように、表示画面の隅の領域に、画像ファイルのＩＤやファイル名などを表示してもよい。
【００６５】
なお、一連の画像に関しては、撮影のロット単位（フィルム１本，ディジタルカメラのメモリカード１枚，ある単位時間（年，月，週など）内の撮影画像）で上述した特殊画像の可能性表示を伴った一覧表示を行うことが望ましい。すなわち、ユーザは、撮影のロット単位の一覧表示において特殊画像を判断したい希望があるが、このような一覧表示では個々の画像が小さく表示されてしまう。このような個々の画像が小さい状態の一覧表示であっても、特殊画像の可能性を予め判定した結果を表示することで、ユーザの要求を満足させることができる。
【００６６】
以上の説明では、ＣＲＴ表示装置やＬＣＤ表示装置といったディスプレイ４００に特殊画像の可能性の表示を伴った一覧表示をする例を示したが、このほかに、表示手段としてプリンタを用いて、インデックスプリントのようなプリントにおける一覧表示に適用することも可能である。この場合には、特殊画像の可能性の表示を伴ったインデックスプリントを参照してから個々のプリントを依頼するような手順にすることで、無駄なプリントを行わないようにすることができる。
【００６７】
また、以上の説明で特殊画像の例としてピンぼけ，ぶれ画像，プリンタの色域を超えた画像等について説明したが、このほかに、ノイズ量や色調バランス等を採用することも可能である。この場合にも、操作部１２０から判定基準を入力・調整できることが望ましい。
【００６８】
また、図１に示した例では、スキャナ３００等から画像データを読み込むものを示したが、このほかに、ディジタルカメラ，赤外線ポート，通信回線，ＭＤなどから読み込むことも可能である。そして、ファイリングの記録媒体としては、ＭＤやＣＤのほかに、ハードディスク，光磁気ディスク，ＤＶＤなど各種の媒体を用いることが可能である。
以上のような画像表示方法と画像表示装置とにより、以下のような効果が得られる。
【００６９】
▲１▼ユーザは拡大画像を見ることなく、画像の性質を判断できるようになり、操作性の向上と時間短縮とを実現できる。
▲２▼特殊画像の可能性の高さ（確からしさ）を表示することで、ユーザはそのときどきの価値判断で操作を行うことができる。
【００７０】
▲３▼ピンぼけ画像は拡大しないと判断しにくいが、縮小画像でその可能性を知ることができるようになる。
▲４▼画像中央部分を抽出してピンぼけの検出を行うことで計算量を減らすことができるようになる。
【００７１】
▲５▼プリンタの色域を超えていることを予め知ることで、最終プリント画像の状態を推定することができる。
▲６▼肌色などの特定色を含む画像に印がつくことで、目的の画像（たとえば、人物が写っている画像）を探すことが容易になる。
【００７２】
▲７▼ピンぼけの判定の際に、中高周波成分に注目することで、ノイズ成分による誤った判断を回避することができる。
▲８▼大量の画像データをブラウジングする際に、必要な情報を瞬時に判断することができるようになる。
【００７３】
▲９▼ユーザの希望する一覧表示において、特殊画像の可能性を知ることができるので、操作性が向上する。
【００７４】
【発明の効果】
以上詳細に説明したように、本発明によれば以下のような効果が得られる。
（１）第１の発明では、予め定められた基準に基づいて縮小前の各画像が特殊画像である可能性を有するか否かを判定しておいて、この判定された結果を該当する画像に付随して表示することで、元画像を表示しなければ判定できないような特殊な画像について、元画像を表示することなく一覧表示において示すことが可能になる。
【００７５】
（２）第２の発明では、予め定められた基準に基づいて縮小前の各画像が特殊画像である可能性を有するか否かを判定しておいて、この判定された結果を、その可能性の高さと共に該当する画像に付随して表示することで、元画像を表示しなければ判定できないような特殊な画像について、元画像を表示することなく一覧表示において示すことが可能になる。
【００７６】
（３）第３の発明では、予め定められた基準に基づいて縮小前の各画像が特殊画像である可能性を有するか否かを判定しておいて、この判定された結果を該当する画像に付随して表示することで、元画像を表示しなければ判定できないようなピンぼけ画像やぶれ画像について、元画像を表示することなく一覧表示において示すことが可能になる。
【００７７】
（４）第４の発明では、縮小前の画像の中央付近の所定の領域の周波数特性の中高周波成分量に基づいて縮小前の各画像が特殊画像である可能性を有するか否かを判定しておいて、この判定された結果を該当する画像に付随して表示することで、元画像を表示しなければ判定できないようなピンぼけ画像やぶれ画像について、元画像を表示することなく一覧表示において示すことが可能になる。
【００７８】
（５）第５の発明では、色域に関して予め定められた基準に基づいて縮小前の各画像が特殊画像である可能性を有するか否かを判定しておいて、この判定された結果を該当する画像に付随して表示することで、元画像を表示しなければ判定できないような画像出力手段の色域を超えた画像について、元画像を表示することなく一覧表示において示すことが可能になる。
【００７９】
（６）第６の発明では、色に関して予め定められた基準に基づいて縮小前の各画像が特殊画像である可能性を有するか否かを判定しておいて、この判定された結果を該当する画像に付随して表示することで、元画像を表示しなければ判定できないような指定された範囲の色を含む画像について、元画像を表示することなく一覧表示において示すことが可能になる。
【００８０】
（７）第７の発明では、色と面積に関して予め定められた基準に基づいて縮小前の各画像が特殊画像である可能性を有するか否かを判定しておいて、この判定された結果を該当する画像に付随して表示することで、元画像を表示しなければ判定できないような指定された範囲の色を一定面積以上を含む画像について、元画像を表示することなく一覧表示において示すことが可能になる。
【００８１】
（８）第８の発明では、予め定められた基準に基づいて縮小前の各画像が特殊画像である可能性を有するか否かを判定しておいて、この判定された結果を該当する画像に付随して表示することで、画像ファイリング装置において、元画像を表示しなければ判定できないような特殊な画像について、元画像を表示することなく一覧表示において示すことが可能になる。
【００８２】
（９）第９の発明では、予め定められた基準に基づいて縮小前の各画像が特殊画像である可能性を有するか否かを判定しておいて、この判定された結果を該当する画像に付随して表示することで、元画像を表示しなければ判定できないような特殊な画像について、元画像を表示することなく、記録媒体に含まれる一連の画像についての一覧表示において示すことが可能になる。
【図面の簡単な説明】
【図１】本発明の実施の形態例の画像表示装置の電気的構成を示す機能ブロック図である。
【図２】本発明の実施の形態例の画像表示方法及び画像表示装置の動作状態を示すフローチャートである。
【図３】本発明の実施の形態例でピンぼけ画像の判定に用いる領域を説明する説明図である。
【図４】本発明の実施の形態例でピンぼけ画像の判定に用いる周波数成分の特性の一例を説明する説明図である。
【図５】本発明の実施の形態例で所定の色域の画像の判定に用いる色空間の一例を説明する説明図である。
【図６】本発明の実施の形態例で所定の色域の画像の判定に用いる色空間の一例を説明する説明図である。
【図７】本発明の実施の形態例で特殊画像の可能性の表示を伴った一覧表示の様子を説明する説明図である。
【符号の説明】
１００  ピクチャーＭＤ装置
１１０  メインマイコン
１２０  操作部
１３０  パラメータ保持部
１４０  ＭＤドライブコントローラ
１４１  ＭＤドライブ
１５０  フレームメモリ
１６０  メモリコントローラ
１７０  画像処理部
１７１  縮小処理部
１７２  判定処理部
１７３  表示制御部
３００  スキャナ
４００  ディスプレイ
【図１】
0003921767.tif 000002
【図２】
0003921767.tif 000003
【図３】
0003921767.tif 000004
【図４】
0003921767.tif 000005
【図５】
0003921767.tif 000006
【図６】
0003921767.tif 000007
【図７】
0003921767.tif 000008